(57)【要約】      （修正有）【課題】立体形状の装着基材と立体形状又は平面体形状表示物の組み合わせにより、結婚式、披露パーティー又は各種会合等の列席者に、歓迎と感謝の念を視覚によって強いインパクトを与え、その印象記憶効果をより高め、また、結婚式、披露パーティー又は会合等が終了後も、使用した歓迎表示体を廃棄処分することなく、これを自宅等に持ち帰り、メモリアルボードないしルームアクセサリーとして再利用可能な歓迎表示体を提供する。【解決手段】歓迎表示体は、装着基材１を構成する部品である、基台２、第１補助板３、支柱４、第２補助板５、屋根材６、第１貼装板７、第２貼装板８で構成され、装着基材１に、表示物である、歓迎・感謝を表明シート板、新郎新婦のフィギュア（プラスチック製の全身立像）又は写真、日付シート、生花又は造花等が装着される。【選択図】図１
0003137770.tif 000002
【実用新案登録請求の範囲】
【請求項１】
結婚式、披露パーティー又は各種会合等の会場における入場口周辺に設置される、歓迎表示体であって、
各種表示物を装着するための装着基材と、
該装着基材に表示される、結婚式、披露パーティー又は各種会合等の当事者又は主催者が、歓迎及び感謝を表明する文字及び各種情報を表示した複数の表示物と、
からなり、
前記装着基材は、自立可能な立体形状であり、
前記表示物は、立体形状又は平面体形状であることを特徴とする、歓迎表示体。
【請求項２】
前記装着基材は、予め組立・分解可能な複数の部品で制作されていることを特徴とする、請求項１に記載の歓迎表示体。
【請求項３】
前記装着基材の素材は、厚紙、紙製ダンボール又は発泡スチロールであることを特徴とする、請求項１〜請求項２の何れかに記載の歓迎表示体。
【請求項４】
前記装着基材が、アーチ形状であることを特徴とする、請求項１〜請求項３の何れかに記載の歓迎表示体。
【請求項５】
前記装着基材が、本の形状であることを特徴とする、請求項１〜請求項３の何れかに記載の歓迎表示体。
【請求項６】
前記装着基材が、ケーキ形状であることを特徴とする、請求項１〜請求項３の何れかに記載の歓迎表示体。
【請求項７】
前記装着基材が、ゲート形状であることを特徴とする、請求項１〜請求項３の何れかに記載の歓迎表示体。
【請求項８】
前記歓迎を表明する文字は、厚紙、紙製ダンボール又は発泡スチロール製シート板の表面に印刷又は記入され、該シート板の裏面には、感謝を表明する文字が印刷又は記入されていることを特徴とする、請求項１〜請求項７の何れかに記載の歓迎表示体。
【請求項９】
前記歓迎及び感謝を表明するシート板は、前記装着基材に着脱自在に取り付けられていることを特徴とする、請求項１〜請求項８の何れかに記載の歓迎表示体。
【考案の詳細な説明】
【技術分野】
【０００１】
本考案は、例えば結婚式、披露パーティー又は各種会合等の会場における入場口周辺に設置され、式場又は会場への来場者に歓迎と感謝、誘導、案内及び各種情報等を表示する案内表示板、いわゆるウェルカムボード（登録商標：アドバンストスペーステクノロジー（株））に関する。
【背景技術】
【０００２】
近年、例えば結婚式場又は結婚披露パーティー会場等の入場口周辺には、式又はパーティーの列席者への歓迎、誘導、案内及び各種情報等が表示されたウェルカムボードが設置されるようになっている。従来のウェルカムボードは、紙又はパネル板等に歓迎の念を伝えるための文字、当事者又は主催者の名前、その他のメッセージ等を印刷又は手書き等により表示するか、ガラス、金属、木材又はアクリル板等の各種素材にエッチングや削り出し加工等により、当事者又はその他のメッセージ等が平面的な表現方法によって表示されていた。
【０００３】
このような、ウェルカムボードに関して、例えば、
実用新案登録３１００９６２「結婚式ウェルカムボード用」（特許文献１）
実用新案登録３１２３８９３「レンタルウェルカムボード」（特許文献２）
実用新案登録３１０９４４４「チェンジングウェルカムボード」（特許文献３）
実用新案登録３１２２６６５「室内装飾体」（特許文献４）
等が提案、開示されている。
【０００４】
特許文献１は、「歓迎のメッセージ」や「結婚する二人の写真」等が、単に、厚紙や板材に表示されていたにすぎないため、目立ちにくく、来客の方々を歓迎するには充分でないという不都合を有しており、これらの不都合を解消することを課題とし、
その解決手段は、有底箱体内に光源を設置するとともにその開口部に不透明透光板を張設し、この不透明透光板の表面に歓迎表示用透光性シートを着脱可能に設置したことを特徴としている。
【０００５】
特許文献２は、従来の彫刻型歓迎表示体は、本体へ直接ユーザー毎の情報を彫刻施工する為、一度施工されたデザインは変更できずユーザーの使用方法に制限をもたらしていた。又、製作者においても再利用ができない為、レンタルという販売形態を設定できない。本考案はそれらの不都合を解消することを課題とし、
その解決手段は、予めサンドブラスト技法、レーザー彫刻により彫刻施工された鏡又はガラス板を基本パーツとし、そのパーツ上へ透明ガラス板又は透明アクリル板へデザインや文字等を上記手法にて彫刻施工したオリジナルパーツを重ね合わせ、既成額にはめ込むことを特徴としている。
【０００６】
特許文献３は、積極的に見ようとする人が多くなり、注目される時間も長くなる、歓迎表示体を提供することを課題とし、
その解決手段は、催し物の会場の入口付近に設置されるチェンジングであって、基材と、該基材に重ね合わせたレンチキュラーレンズとを備え、前記基材の前記レンチキュラーレンズ側の面には、前記レンチキュラーレンズに対する視線の角度によって複数の表示画像が選択的に見えるように、前記レンチキュラーレンズの並列に配置されたレンズ要素のピッチに対応して、合成画像が形成され、前記複数の表示画像のいずれかに、前記催し物の主役に関する１又は２以上の写真やイラスト、前記催し物に関する文字情報の少なくとも一つが含まれることを特徴としている。
【０００７】
特許文献４の課題は、いわゆる歓迎表示体は式場や宴会場に来賓を向かい入れてしまうと、その目的が終了され、その後は格別に何の使用用途もなく、経済的に非常に不利なものであったという点で、これを解決することにあり、
その解決手段は、透明なベースボードの表面に適宜形状をした有色のポリエステルフィルムを任意部位に積層し、そのポリエステルフィルムの周囲をリード線等の固定材で固定あるいは装飾材で装飾するとともに、残余の透明部位に対し、裏面から任意の文字や図柄等を有するシートを着脱交換自在に備え、かつ、そのシートを前記ベースボードとの間に抑え板で挟持してあることを特徴としている。
【特許文献１】実用新案登録第３１００９６２号公報
【特許文献２】実用新案登録第３１２３８９３号公報
【特許文献３】実用新案登録第３１０９４４４号公報
【特許文献４】実用新案登録第３１２２６６５号公報
【考案の開示】
【考案が解決しようとする課題】
【０００８】
特許文献１は、支持装置に装着された、不透明透光板の表面に装着した歓迎表示用透光性シートを蛍光灯により照射して、結婚式への参列者を歓迎するものであり、平面的な一種の照明付き立看板で、新規性がない。
特許文献２は、既成額に、サンドブラスト技法、レーザー彫刻により彫刻施工された鏡又はガラス板を、基本パーツ上へ透明ガラス板又は透明アクリル板へデザインや文字等を彫刻施工したオリジナルパーツを重ね合わせるもので、特許文献１と同様に、平面的なレンタルウェルカムボードであるから、安っぽい感覚を払拭できない。
特許文献３は、額縁に入れられたレンチキュラーレンズを接着したウェルカムボードを、イーゼルを用いて表示するもので、レンチキュラーレンズに対する視線角度によって、複数の表示画像が選択的に見えるという効果はあるものの、そのために、該ウェルカムボードを積極的に見る人が多くなり、注目される時間も長くなる結果、受付周辺が混雑し、開式、開宴時間等が大幅に遅延するという不具合が起きる可能性がある。
特許文献４は、ガラス板又はアクリル板からなる透明なベースボードの表面に、適宜形状をした有色のポリエステルフィルムを任意部位に積層し、該ポリエステルフィルムを固定するためにリード線として鉛を貼装する、全体的には額縁状であり、特許文献３と同様にイーゼル等を用いて表示するもので、平面的な一種の立看板である。またポリエステルフィルムの固定材料として、人体に有害な鉛を貼装している点は、問題である。
【０００９】
本考案が解決しようとする第１の課題は、立体形状の装着基材と立体形状又は平面体形状表示物の組み合わせにより、結婚式、披露パーティー又は各種会合等の列席者に、歓迎と感謝の念を視覚によって強いインパクトを与え、その印象記憶効果をより高める歓迎表示体の提供であり、第２の課題は、結婚式、披露パーティー又は会合等が終了後も、使用した歓迎表示体を廃棄処分しないで、これを自宅等に持ち帰り、メモリアルボードないしルームアクセサリーとして再利用可能な歓迎表示体を提供することにある。
【課題を解決するための手段】
【００１０】
課題を解決するための手段は、本願、実用新案登録請求の範囲の各請求項に記載の考案である。      
本考案の解釈上の疑義を解消すべく、以下予め用語の説明を行う。
＊＊＊＊＊＊＊＊＊＊＊＊＊＊＊＊＊＊＊＊＊＊＊＊＊＊＊＊＊＊＊＊＊＊＊＊＊＊＊＊
（用語の説明）
○披露パーティーとは−
特定の招待客又は友人、知己、親族等が出席する、「結婚披露（二次会を含む）パーティー」の他、「企業の創立記念パーティー、新社屋披露パーティー」、「新築家屋披露パーティー」及び「歌舞伎俳優、落語家等の襲名披露パーティー」等の慶祝事のパーティーをいう。
○各種会合等とは−
友人、知己を招待して開催される、例えば、ゴルフコンペ等における「ホールインワン達成記念祝賀会」、「叙勲・褒章受章祝賀会」、「古希、喜寿、傘寿、米寿、卒寿等の長寿祝賀会」、同窓会等祝賀会の他、「故人を偲ぶ会」等の弔事の会合をいう。
○装着基材とは−
例えば、結婚式場又は結婚披露パーティー等において、例えば、祝祭典の会場に設けられる記念門になぞらえたアーチ形状、結婚した当事者二人が創っていく将来の生活ストリーになぞらえた本の形状、ウェディングケーキになぞらえたケーキ形状及び新生活への門出をイメージするゲート状等自立可能な立体形状物であり、予め式場等において制作、準備され、結婚当事者は、これらの装着基材から好みのものを選択する。また会合等の装着基材は、開催される会合の趣旨によって、主催者等により、上記の表示物を装着するのに最適と思われる自立可能な立体形状物から選択される。
○表示物とは−
結婚式場又は結婚披露パーティー等においては、上記の装着基材に取り付けられる、歓迎・感謝の文字等を印刷又は手書きしたシート板、当事者二人の写真、フィギュア（胸像又は全身像）、イラスト、貼り絵、生花、造花等の装飾体等の平面体形状物及び立体形状物をいう。また各種会合等における表示物は、開催される会合の趣旨に沿った各種情報を、立体形状又は平面体形状物に表示したもので、主催者により、種々選択され、装着基材に取り付けられる。
○歓迎表明文字とは−
例えば「歓迎」、「ＷＥＬＣＯＭＥ」、「いらっしゃいませ」、「おこしやす」、「おいでませ」等々標準語、外国語及び方言を含む。
○感謝表明文字とは−
例えば「感謝」、「ＴＨＡＮＫＳ」、「謝々」、「ありがとうございました」、「おおきに」等の標準語、外国語及び方言を含む。
○各種情報とは−
例えば、結婚関連では、結婚当事者二人の氏名、写真、両家の名称、日時の他、二人の写真に替わるフィギュア等であり、各種会合では、開催される会合の名称、写真（又はフィギュア）、主催者名、日時等である。
＊＊＊＊＊＊＊＊＊＊＊＊＊＊＊＊＊＊＊＊＊＊＊＊＊＊＊＊＊＊＊＊＊＊＊＊＊＊＊
本考案者は、上記の従来技術が有する各種の問題点に鑑み、鋭意検討を重ね、特に結婚式、披露パーティー等の列席者に、歓迎・感謝の念を強く印象付けると共に、閉式、開式後に使用した歓迎表示体を廃棄しないで、メモリアルボード等として再利用可能な歓迎表示体を提供するとして、本考案を完成したものである。課題を解決するための手段は、本願、実用新案登録請求の範囲の各請求項に記載の考案であり、その具体的な解決手段は以下の通りである。  
【００１１】
○第１の考案（請求項１に記載の考案）
上記の課題を解決するための第１の考案（請求項１に記載の考案）は、
結婚式、披露パーティー又は各種会合等の会場における入場口周辺に設置される、歓迎表示体であって、
各種表示物を装着するための装着基材と、
該装着基材に表示される、結婚式、披露パーティー又は各種会合等の当事者又は主催者が歓迎及び感謝を表明する文字及び各種情報を表示した複数の表示物と、
からなり、
前記装着基材は、自立可能な立体形状であり、
前記表示物は、立体形状又は平面体形状であることを特徴とする、歓迎表示体である。
【００１２】
○第２の考案（請求項２に記載の考案）
上記の課題を解決するための第２の考案（請求項２に記載の考案）は、
前記装着基材は、予め組立・分解可能な複数の部品で制作されていることを特徴とする、請求項１に記載の歓迎表示体である。
【００１３】
○第３の考案（請求項３に記載の考案）
上記の課題を解決するための第３の考案（請求項３に記載の考案）は、
前記装着基材の素材は、厚紙、紙製ダンボール又は発泡スチロールであることを特徴とする、請求項１〜請求項２の何れかに記載の歓迎表示体である。
【００１４】
○第４の考案（請求項４に記載の考案）
上記の課題を解決するための第４の考案（請求項４に記載の考案）は、
前記装着基材が、アーチ形状であることを特徴とする、請求項１〜請求項３の何れかに記載の歓迎表示体である。
【００１５】
○第５の考案（請求項５に記載の考案）
上記の課題を解決するための第５の考案（請求項５に記載の考案）は、
前記装着基材が、本の形状であることを特徴とする、請求項１〜請求項３の何れかに記載の歓迎表示体である。
【００１６】
○第６の考案（請求項６に記載の考案）
上記の課題を解決するための第６の考案（請求項６に記載の考案）は、
前記装着基材が、ケーキ形状であることを特徴とする、請求項１〜請求項３の何れかに記載の歓迎表示体である。
【００１７】
○第７の考案（請求項７に記載の考案）
上記の課題を解決するための第７の考案（請求項７に記載の考案）は、
前記装着基材が、ゲート形状であることを特徴とする、請求項１〜請求項３の何れかに記載の歓迎表示体である。
【００１８】
○第８の考案（請求項８に記載の考案）
上記の課題を解決するための第８の考案（請求項８に記載の考案）は、
前記歓迎を表明する文字は、厚紙、紙製ダンボール又は発泡スチロール製シート板の表面に印刷又は記入され、該シート板の裏面には、感謝を表明する文字が印刷又は記入されていることを特徴とする、請求項１〜請求項７の何れかに記載の歓迎表示体である。
【００１９】
○第９の考案（請求項９に記載の考案）
上記の課題を解決するための第９の考案（請求項８に記載の考案）は、
前記歓迎及び感謝を表明するシート板は、前記装着基材に着脱自在に取り付けられていることを特徴とする、請求項１〜請求項８の何れかに記載の歓迎表示体である。
【考案の効果】
【００２０】
本考案に係る、歓迎表示体は、上記のような特徴的構成要件から構成され、特徴的構成要件に応じた、以下のような本願考案特有の効果を奏する。
また、上記のような特徴的構成要件から構成された歓迎表示体によれば、本願考案の課題を十分に解消できる。
○第１の考案の効果
第１の考案によれば、
結婚式、披露パーティー又は各種会合等の会場における入場口周辺に設置される、歓迎表示体であって、
各種表示物を装着するための装着基材と、
該装着基材に表示される、結婚式、披露パーティー又は各種会合等の当事者又は主催者が歓迎及び感謝を表明する文字及び各種情報を表示した複数の表示物と、
からなり、
前記装着基材は、自立可能な立体形状であり、
前記表示物は、立体形状又は平面体形状であるから、
立体形状の装着基材と立体形状又は平面体形状表示物の組み合わせにより、結婚式、披露パーティー又は各種会合等列席者に、歓迎と感謝の念を視覚によって強いインパクトを与え、その印象記憶効果をより高める歓迎表示体の提供という、本考案の第１の課題を解決することができ、また、結婚式、披露パーティー又は会合等が終了後も、使用した歓迎表示体を廃棄処分としないで、これを自宅等に持ち帰り、メモリアルボードないしルームアクセサリーとして再利用可能な歓迎表示体の提供という、本考案の第２の課題を解決することができた。
【００２１】
○第２の考案の効果
第２の考案によれば、
前記装着基材は、予め組立・分解可能な複数の部品で制作されているので、
結婚式、披露パーティー又は各種会合等の等の当事者又は主催者は、制作された装着基材の中から、最適と思われる物を選択できるという、当業者が予測不可能な顕著な効果を奏すると共に、各部品の量産が可能であるために、組立・分解作業の効率化、制作コストの低減及び保管スペースを少くするという、経済的な効果をも発揮する。
【００２２】
○第３の考案の効果
第３の考案によれば、
前記装着基材の素材は、厚紙、紙製ダンボール又は発泡スチロールであるから、
鋏、カッターナイフ等簡便な工具と接着剤等により、容易に制作が可能であり、また全体重量も軽いために、式場、会場等への搬入、移送が容易である。また、厚紙、紙製ダンボールは、たとえ廃棄処分するに際しては、環境保全上、何らの問題も発生しない。発泡スチロールは、分別回収され再生資源としての利用が可能である。
【００２３】
○第４の考案の効果
第４の考案によれば、
前記装着基材が、アーチ形状であるから、
結婚式、披露パーティー又は各種会合等の会場への来場者は、受付場所を即座に視認することができ、また式又は会合等が終了後も、使用した歓迎表示体を廃棄処分しないで、これを自宅等に持ち帰り、メモリアルボードないしルームアクセサリーとして再利用することができる。
【００２４】
○第５の考案の効果
第５の考案によれば、
前記装着基材が、本の形状であるから、
構成部品も少なく制作が容易で、また受付テーブル等に載置できる利便性をも有し、また式又は会合等が終了後も、使用した歓迎表示体を廃棄処分しないで、これを自宅等に持ち帰り、メモリアルボードないしルームアクセサリーとして再利用することができる。
【００２５】
○第６の考案の効果
第６の考案によれば、
前記装着基材が、ケーキ形状であるから、
結婚式又は結婚披露パーティー会場への来場者には、ウェディングケーキを連想させるので、結婚式又は結婚披露パーティー用の歓迎表示体として最適であり、式又はパーティーが終了後も、使用した歓迎表示体を廃棄処分しないで、これを自宅等に持ち帰り、メモリアルボードないしルームアクセサリーとして再利用することができる。
【００２６】
○第７の考案の効果
第７の考案によれば、
前記装着基材が、ゲート形状であるから、
結婚式又は結婚披露パーティー会場への来場者には、新生活への門出をイメージするゲート状の自立可能な立体形状物であり、アーチ形状に較べて構造もより簡素で、制作が容易、移送・搬送等が至便であるという効果を奏する。
【００２７】
○第８の考案の効果
第８の考案によれば、
前記歓迎を表明する文字は、厚紙、紙製ダンボール又は発泡スチロール製シート板の表面に印刷又は記入され、該表示物の裏面には、感謝を表明する文字が印刷又は記入されているので、
結婚式、披露パーティー又は各種会合等の会場における受付の終了後は、歓迎表明の表示物を反転させて、退場口周辺に設置すれば、該表示物は、感謝表明の表示物に替えられ、例えば、結婚当事者の言葉によるお礼の挨拶と共に、列席者に視覚による感謝の念を強く与え、心に残る結婚式、パーティー又は会合とすることができる。
【００２８】
○第９の考案の効果
第９の考案によれば、
前記歓迎及び感謝を表明するシート板は、前記装着基材に係止部材により着脱自在に取り付けられているので、
歓迎表明から感謝表明の表示変換操作は、係止部材で掛止されたシート板を装着基材から離脱し、該シート板を反転させて簡便にできるという効果を奏する。
【考案を実施するための最良の形態】
【００２９】
以下、本考案に係る、歓迎表示体に関する最良の実施形態について、図面を参照しながら説明する。
図１は、歓迎表示体Ａにおける装着基材の構成部品を分離した状態の分解斜視図、
図２は、歓迎表示体Ａを完成した状態の正面図、
図３は、図２におけるイ−イ線断面図、
図４は、歓迎表示体Ａにおける歓迎・感謝シート板の裏面図、
図５（ａ）は、装着基材が本の形状である歓迎表示体Ｂの正面図、
図５（ｂ）は、同平面図、
図６（ａ）は、装着基材がケーキ形状の歓迎表示体Ｃの正面図、
図６（ｂ）は、同平面図、
図６（ｃ）は、同側面図、
図７は、歓迎表示体Ｇを完成した状態の正面図、
図８は、図７におけるロ−ロ線断面図である。
【００３０】
図１は、歓迎表示体Ａの装着基材１を構成する部品を分離して示し、２は基台、３は第１補助板、４、４は支柱、５は第２補助板、６は屋根材、７は第１貼装板及び８は第２貼装板である。歓迎表示体Ａの装着基材１の基台２は、厚紙、紙製ダンボール又は発泡スチロールを折曲又は成型加工して中空箱状にしてなり、その上部には厚紙製第１補助板３が接着剤（図示しない）等により固定されている。支柱４、４は基台２と同様に、厚紙、紙製ダンボール又は発泡スチロールを横断面視正六角形状に折曲又は成型加工して中空状の柱とされ、前記第１補助板３の両端部にそれぞれ垂直に立設されている。支柱４、４の上面には第２補助板５が接着剤等により固定され、該第２補助板５の上面には、厚紙、紙製ダンボール又は発泡スチロールを折曲又は成型加工して中空箱状にしてなる屋根材６が載置されて接着剤によって固定されている。第１貼装板７及び第２貼装板８は、厚紙、紙製ダンボール又は発泡スチロールで、第１補助板３と第２補助板の略中央後面部で接着剤によって固定されて壁面を形成し（図３、参照）、イラスト、貼り絵又は写真等が貼装される。
【００３１】
図２は、歓迎表示体Ａの装着基材１に、立体形状又は平面体形状の各種表示物を装着又は貼装した状態を示し、９は、歓迎及び感謝を表明する厚紙、紙製ダンボール又は発泡スチロール製シート板で、その表面には、例示するように、歓迎を意味する英文字「ＷＥＬＣＯＭ」が印刷又は記入されている。また図４に示すように、シート板９の裏面には、感謝を意味する英文字「ＴＨＡＮＫＳ」（「ＴＨＡＮＫ  ＹＯＵ」としても良い）が印刷又は記入されている。９ａ及び９ｂは、装着基材１にシート板９を掛止するための係止部材、例えばマジックテープ（登録商標、クラレ（株））で、式又は披露パーティーが終了後には、係止部材９ａ及び９ｂは装着基材１から離されて、反転し「ＷＥＬＣＯＭ」から「ＴＨＡＮＫＳ」に替えられる。１０は、新郎新婦のフィギュア（プラスチック製の全身立像）又は写真で、１１は挙式又は結婚披露パーティーの日時を示す日付シートで、厚紙製である。１２は生花又は造花で、第１補助板３に植設される。第１貼装板７には白鳩の貼り絵７ａが貼装され、また第２貼装板８には、ハート図形８ａの貼り絵が貼装されている。
【００３２】
図３は、図２におけるイ−イ線断面図で、立体形状の装着基材１に新郎新婦のフィギュア（プラスチック製の全身立像）又は写真１０が立設され、屋根材の前面には、「ＷＥＬＣＯＭ」シート板９が掛止され、また新郎新婦のフィギュア（プラスチック製の全身立像）又は写真１０の前面には日付シート１１等が目立つように配置され、さらにフィギュア（プラスチック製の全身立像）又は写真１０の両側には生花又は造花１２が植設されているので、結婚式、結婚披露パーティーの列席者には、強いインパクトで記憶されるように構成されている。
【００３３】
図５（ａ）及び  図５（ｂ）は、歓迎表示体Ｂの装着基材２０が本の形状（ブック型）を示している。２１は歓迎及び感謝を表明する厚紙、紙製ダンボール又は発泡スチロール製のシート板で、その表面には、例示するように、歓迎を意味する英文字「ＷＥＬＣＯＭ」が印刷又は記入されている。シート板２１の裏面には、感謝を意味する英文字「ＴＨＡＮＫＳ」（「ＴＨＡＮＫ  ＹＯＵ」としても良い）が印刷又は記入されている。２２は新郎新婦の写真、２３は二人の名前表示欄で、本の片面に貼付され、他面には、結婚式又は結婚披露パーティーの受付２４であることを表示している。なお図示しないが装着基材２０にシート板２１を掛止するための係止部材、例えばマジックテープ（登録商標、クラレ（株））が、該シート板２１の表裏面に貼付されている。
【００３４】
図６（ａ）、  図６（ｂ）及び  図６（ｃ）は、歓迎表示体Ｃの装着基材３０がケーキの形状（ケーキ型）を示している。３１は、歓迎及び感謝を表明する厚紙、紙製ダンボール又は発泡スチロール製のシート板で、その表面には、例示するように、歓迎を意味する英文字「ＷＥＬＣＯＭ」が印刷又は記入されている。シート板３１の裏面には、感謝を意味する英文字「ＴＨＡＮＫＳ」（「ＴＨＡＮＫ  ＹＯＵ」としても良い）が印刷又は記入されている。３２は新郎新婦のフィギュア（プラスチック製の全身立像）又は写真で、３３は基台、３４は新郎新婦二人の名前及び日付表示欄である。３５は花輪をイメージさせるもので、基台３３と同様に厚紙、紙製ダンボール又は発泡スチロールを折曲又は成型加工して中空箱状に形成している。なお図示しないが装着基材３０にシート板３１を掛止するための係止部材、例えばマジックテープ（登録商標、クラレ（株））が、該シート板３１の表裏面に貼付されている。
【００３５】
図７は、歓迎表示体Ｇの装着基材４０に、立体形状又は平面体形状の各種表示物を装着又は貼装した状態を示し、４１は、歓迎及び感謝を表明する厚紙、紙製ダンボール又は発泡スチロール製のシート板で、その表面には、例示するように、歓迎を意味する英文字「ＷＥＬＣＯＭ」が印刷又は記入されている。シート板４１の裏面には、感謝を意味する英文字「ＴＨＡＮＫＳ」（「ＴＨＡＮＫ  ＹＯＵ」としても良い）が印刷又は記入されている（図４、参照）。４２は基台、４３は第１補助板、４４、４４は支柱、４５は第２補助板、４７は第１貼装板及び４８は第２貼装板である。歓迎表示体Ｇの装着基材４０の基台４２は、厚紙、紙製ダンボール又は発泡スチロールを折曲又は成型加工して中空箱状にしてなり、その上部には厚紙製第１補助板４３が接着剤（図示しない）等により固定されている。支柱４４、４４は基台４２と同様に、厚紙、紙製ダンボール又は発泡スチロールを横断面視正六角形状に折曲又は成型加工して中空状の柱とされ、前記第１補助板４３の両端部にそれぞれ垂直に立設されている。支柱４４、４４の上面には第２補助板４５が接着剤等により固定され、該第２補助板４５の上面長手方向には、嵌合溝４５ａが刻設されている。４５ｂは着脱自在の固定具で、厚紙、紙製ダンボール又は発泡スチロール製シート板４１の下端部４１ａは、前記第２補助板４５の嵌合溝４５ａに嵌合され、固定具４５ｂにより安定的に保持される。式又は披露パーティーが終了後には、シート板４１は、第２補助板４５の嵌合溝４５ａから離脱、反転されて「ＷＥＬＣＯＭ」から「ＴＨＡＮＫＳ」に替えられる。５０は、新郎新婦のフィギュア（プラスチック製の全身立像）又は写真で、５１は挙式又は結婚披露パーティーの日時を示す日付シートで、厚紙製である。５２は生花又は造花で、第１補助板４３に植設される。第１貼装板４７には白鳩の貼り絵４７ａが貼装され、また第２貼装板４８には、ハート図形４８ａの貼り絵が貼装されている。
【図面の簡単な説明】
【００３６】
【図１】は、本考案に係る、歓迎表示体Ａにおける装着基材の構成部品を分離した状態の分解斜視図である。
【図２】は、歓迎表示体Ａを完成した状態の正面図である。
【図３】は、図２におけるイ−イ線断面図である。
【図４】は、歓迎表示体Ａにおける歓迎・感謝シート板の裏面図である。
【図５】（ａ）は、装着基材が本の形状である歓迎表示体Ｂの正面図、（ｂ）は、同平面図である。
【図６】（ａ）は、装着基材がケーキ形状の歓迎表示体Ｃの正面図、（ｂ）は、同平面図、（ｃ）は、同側面図である。
【図７】は、歓迎表示体Ｇを完成した状態の正面図である。
【図８】は、図７におけるロ−ロ線断面図である。
【符号の説明】
【００３７】
Ａ                      歓迎表示体
Ｂ                      歓迎表示体
Ｃ                      歓迎表示体
Ｇ                      歓迎表示体
１、２０、３０、４０    装着基材
２                      基台
３                      第１補助板
４                      支柱
５                      第２補助板
６                      屋根材
７                      第１貼装板
７ａ                    貼り絵
８                      第２貼装板
８ａ                    ハート図形
９                      歓迎・感謝を表明シート板
９ａ、９ｂ              係止部材
１０                    新郎新婦のフィギュア（プラスチック製の全身立像）又は写真
１１                    日付シート
１２                    生花又は造花
２１                    歓迎・感謝を表明シート板
２２                    新郎新婦の写真
２３                    名前表示欄
３１                    歓迎・感謝を表明シート板
３２                    新郎新婦のフィギュア（プラスチック製の全身立像）又は写真
３３                    基台
３４                    新郎新婦の名前及び日付表示欄
３５                    花輪
４１                    歓迎・感謝を表明シート板
４２                    基台
４３                    第１補助板
４４                    支柱
４５                    第２補助板
４７                    第１貼装板
４８                    第２貼装板
４５ａ                  嵌合溝
５０                    新郎新婦のフィギュア（プラスチック製の全身立像）又は写真
５１                    日付シート
５２                    生花又は造花
４７ａ                  貼り絵
４８ａ                  ハート図形
【図１】
0003137770.tif 000003
【図２】
0003137770.tif 000004
【図３】
0003137770.tif 000005
【図４】
0003137770.tif 000006
【図７】
0003137770.tif 000007
【図８】
0003137770.tif 000008
【図５】
0003137770.tif 000009
【図６】
0003137770.tif 000010